Podtech/llm-jp-corpus-v4-ja_patent huggingface dataset:
(57)【要約】【課題】ペット（主に犬）の散歩中に発生する糞の処理を抵抗なく簡単に処理できるようにした、ペット用糞処理具を提供する。【解決手段】棒（１）の一端に袋（１１）を取付けることができるように、中央部に溝（Ｈ）のある枠（２）を棒（１）と枠（２）の取付け部分の角度が３５度前後になるように取付け、袋（１１）の脱落を防止するために枠（２）の外側からワイヤー（７）を溝（Ｈ）に沿わせて、袋（１１）を折り返した部分を押さえてパッチン錠（８）で固定することを特徴とする。【選択図】　図１
2004097183.tif 000002
【特許請求の範囲】
【請求項１】
棒（１）の一端に袋（１１）を取付けることができるように、中央部に溝のある枠（２）を取付け、袋（１１）の脱落を防止するために枠（２）の外側からワイヤー（７）で袋（１１）を折り返した部分を押さえてパッチン錠（８）で固定する。ペット用糞処理具。
【請求項２】
棒（１）と枠（２）を取付ける角度が３５度前後で固定する。ペット用糞処理具。
【発明の詳細な説明】
【０００１】
【発明の属する技術分野】
この発明は、ペット（主に犬）の散歩時における糞の処理に関するものである。
【０００２】
【従来の技術】
従来、散歩中における糞の処理は脱糞後移植コテ等で掬って買物用ビニール袋等に入れて持ち帰るか、そのまま放置するのが大半であった。
【０００３】
【発明が解決しようとする課題】
これは、つぎのような欠点があった。
従来、ペットの散歩中における糞の処理においては、「汚い」というイメージが強いこともあり、糞の放置が後を断たず道路や公園の異臭および汚れ等で美化環境が損なわれ、ペットの飼主のモラル不足による環境保全に困ることが多かった。
本発明は、以上のような欠点を失くするためになされたものである。
【０００４】
【課題を解決するための手段】
棒（１）の一端に袋（１１）を取付けることができるように、中央部に溝（Ｈ）のある枠（２）を棒（１）と枠（２）の取付け部分の角度が３５度前後になるように取付け、袋（１１）の脱落を防止するために枠（２）の外側からワイヤー（７）を溝（Ｈ）に沿わせて、袋（１１）を折り返した部分を押さえてパッチン錠（８）で固定する。
本発明は、以上の構成よりなるペット用糞処理具である。
【０００５】
【発明の実施の形態】
以下、本発明の実施の形態について説明する。
棒（１）の一端に、棒（１）と枠（２）の角度が３５度前後になるように枠（２）の材料の幅と厚さが同じ深さの溝を設ける。これは枠（２）の取付け部の強度と角度を補うためである。
棒（１）の溝に枠（２）を固定するためのネジ穴（Ａ）をあける。
棒（１）のネジ穴（Ａ）の横側にワイヤー（７）の一端の引き抜け防止処理部（Ｆ）を収納する穴（Ｂ）を設ける。
棒（１）の片側にワイヤーを導くガイド（３）を取付ける。
枠（２）にネジ穴（Ｃ）（Ｄ）およびワイヤーを通す穴（Ｅ）を設ける。
ワイヤー（７）の一端に引き抜け防止処理（Ｆ）を行う。もう一方の端をパッチン錠（８）の穴（Ｇ）を通して折り曲げ、ワイヤグリップ（１０）でとめる。
【組み立て方】
▲１▼枠（２）のワイヤーを通す穴（Ｅ）にワイヤー（７）を通した後、ボルト（４）をガイド（３）枠（２）の穴（Ｃ）棒（１）の穴（Ａ）枠（２）の穴（Ｄ）の順に通し、座金（５）とナット（６）で固定する。
▲２▼ワイヤー（７）の一端をガイド（３）を通し、パッチン錠（８）の穴（Ｇ）を通した後ワイヤーの折り曲げ部分が膨らまないように折曲げてワイヤーグリップ（１０）でとめる。
▲３▼パッチン錠のフック（９）は、ワイヤー（７）を枠（２）の溝（Ｈ）に沿わせて引っぱりワイヤーが緩まない位置にパッチン錠と調整して棒（１）の側面にとめる。
本説明は、以上のような構造でこれを使用するときは、パッチン錠（８）をフック（９）から外してワイヤー（７）を緩め、袋（１１）の開口部を枠（２）の内側から入れて枠（２）を包むように袋（１１）の開口部を折り返し、その折り返した部分の外側からワイヤー（７）を枠（２）の溝（Ｈ）に沿わせて締めパッチン錠でとめる。（買物用ビニール袋は大小にかかわらず使用できる）
これをペットの散歩時に携行し、ペットが糞をする時に糞を直接受け止め持ち帰る。糞の処理は家庭用ゴミとともに処分、または水洗便所に流せばよい。
そうすることによりペットの散歩中の糞処理が苦にならず、飼主のマナーは向上し、道路や公園等の糞害がなくなり、ひいては地域の環境美化および衛生の向上に貢献できる。
【０００６】
【発明の効果】
ペット（主に犬）の散歩時に本発明品を携行するだけでペットの糞処理が簡単に違和感なく行え、そのまま持ち帰って処理することができる。
また、道路や公園等の環境美化および地域の衛生環境も向上し、ペット散歩時の必需品として利用方法と保管が便利である。
【図面の簡単な説明】
【図１】本発明の分解斜視図である。
【図２】本発明の斜視図である。
【符号の説明】
１　　棒
２　　枠
３　　ガイド
４　　ボルト
５　　座金
６　　ナット
７　　ワイヤ
８　　パッチン錠
９　　フック
１０　ワイヤーグリップ
１１　ビニール袋
Ａ　　ネジ穴
Ｂ　　引き抜け防止処理部収納穴
Ｃ　　ネジ穴
Ｄ　　ネジ穴
Ｅ　　ワイヤー通し穴
Ｆ　　引き抜け防止処理部
Ｇ　　パッチン錠の穴
Ｈ　　溝
【図３】枠（２）の溝（Ｈ）の拡大図である。
【図１】
2004097183.tif 000003
【図２】
2004097183.tif 000004
【図３】
2004097183.tif 000005
(57)【要約】【課題】畔波シートを水田で連結したり差込み固定したとき、強風で畔波シートが連結部から離れたり倒れたり破損すること防ぐ畔波シート連結固定押さえ杭を提供する。【解決手段】Ｔ字型杭棒（３）の一端に穴開き板部（２）を設け、穴開き板部（２）に隆起部（４）を設け、穴開き板部（２）に棒柱部（１）を設け、穴開き板部（２）に打撃部（５）を設け、穴開き部（２）に裏側補強部（６）を設けたことを特徴とする。【選択図】　　図１
2004097187.tif 000002
【特許請求の範囲】
【請求項１】
（イ）Ｔの字型杭棒３の一端に穴開き板部２を設ける。
（ロ）穴開き板部２に隆起部４を設ける。
（ハ）穴開き板部２に棒柱状部１を設ける。
（ニ）穴開き板部２に打撃部５を設ける。
（ホ）穴開き板部２の裏側面に補強板部６を設ける。
以上の構成からなる畔波シート連結部押さえつき杭棒。
【発明の詳細な説明】
【０００１】
【発明の属する技術分野】
この発明は杭棒の一端に畔波シート連結部押さえをつけた畔波シート連結部押さえつき杭棒に関するものである。
【０００２】
【従来の技術】
従来畔波シートを畔の土中に差してシートがめくれないように木の棒や木板をシートに沿って差し込んでいた。
【０００３】
【発明が解決しようとする課題】
これは、つぎのような欠点があった。
（イ）畔波シートを田んぼに差し込んでおくと強風に吹かれ畔波シートが抜けてしまい畔から水がもれてしまう。
（ロ）畔波シートを繋げて使用するとき繋ぎ目部分が強風に一番弱く畔波シートが抜けてしまい破損や紛失する。
（ハ）畔波シートを強風から守るために木の棒や板を畔波シートに沿って差し込み補強していたが横からしか押さえていないので数多く木の棒や板を使用しなければならなく手間が多くかかった。
本発明は、以上のような欠点をなくすためになされたものである。
【０００４】
【課題を解決するための手段】
杭部３に穴開き板部２を設け、穴開き板部２に隆起部４を設け、穴開き板部２に棒柱状部１を設け、穴開き板部２に打撃部５を設け、穴開き板部２の裏面に補強部６を設ける。
本発明は、以上の構成よりなる畔波シート連結部押さえつき杭棒である。
【０００５】
【発明の実施の形態】
以下、本発明の実施形態について説明する。
杭部３に穴開き板部２を設け、穴開き板部２に隆起部４を設け、穴開き板部２に棒柱状部１を設け、穴開き板部２に打撃部５を設け、穴開き板部２の裏面に補強部６を設け、各部１から６はプラスチックで一体成形されている。この他、杭部は金属製などのものもある。
本発明は、以上のような構造でこれを使用するときは、穴開き板部を畔波シート連結部のシートが重なったところに差し込めば畔波シートの波形状にぴったり合い、ずれずに固定される。
【０００６】
【発明の効果】
（イ）畔波シートを本発明品で差込み固定することで、畔波シートの倒れや浮き上がりを防止できる。
（ロ）シートの連結部を本発明品で差込み固定することで、畔波シートが連結固定できるので強風などでも畔波シートが外れず、畔土の崩れや水漏れを防止でき畔波シートの風による紛失も防げる。
（ハ）シートを本発明品で差込み固定することで、畔波シートを幅広く押さえるので畔波シートの破損を防げる。
（ニ）畔波シートを本発明品で差込む時は、本発明品の打撃部を手で押すので手のケガを防止できる。
（ホ）畔波シートを本発明品で固い土に差込みする時は、本発明品の打撃部を木槌などで叩いて差込できるので水田や畑の土の固さを選ばずどこでも幅広く使用できる。
（ヘ）本発明品は畑やハウスなどの紐を張り固定する杭棒にも使用できるので経済的である。
【図面の簡単な説明】
【図１】本発明の実施の形態例の全体斜視図である。
【図２】本発明の実施の形態例のＡからＡ’の横断面図である。
【図３】本発明の実施の形態例のＢからＢ’の横断面図である。
【図４】本発明の実施の形態例の使用状態の平面図である。
【図５】本発明の実施の形態例の使用状態の平面断面図である。
【符号の説明】
Ｆ　畔波シート
１　棒柱状部
２　穴開き板部
３　Ｔ型杭棒
４　隆起部
５　打撃部
６　補強部
７　穴
【図１】
2004097187.tif 000003
【図２】
2004097187.tif 000004
【図３】
2004097187.tif 000005
【図４】
2004097187.tif 000006
【図５】
2004097187.tif 000007
(57)【要約】【課題】表、中、底層魚の、産卵場、増殖場を得る事にある。【解決手段】Ｕ字状溝を、掌状に設けた盤を合体した、潜水盤型魚礁で、合体時に、円筒状となる溝１を設け、盤首部２で結束強化、掌を開いた形で、溝３を設け、両端に、放射状に開く、壁板部４を設け、突起体孔５と受け孔６を設ける。中央溝を曲げ、竹等、交差部を結束、狭部７、突出孔８でも結束、パラグライダー状単翼潜水盤に、係留突起体１１、係留孔１２を設け、開口板機能を持たせた物で、竹等の設置溝１３、１５を設け、結束孔１６で、結束すれば、盤曲面への、潮流圧力が掛かり、潜水盤間を広げる。突出孔１８に、擬似海藻付ロープを取付れば、同効果を得られる。複数潜水盤の連結孔１９を、連結すれば、巨大な、円筒状魚礁となり、合体潜水盤と単翼潜水盤を連結すれば竹、擬似海藻が産卵場となり、稚魚の遊泳水域が増大、魚礁効果が高まる。【選択図】　図２
2004097184.tif 000002
【特許請求の範囲】
【請求項１】
掌状盤に、斜め上下後方に、竹等を、扇状に設置する、溝部、係留孔部を有した、盤を合体した、潜水盤型浮魚礁
【請求項２】
パラグライダー状単翼潜水盤に、斜め上下後方に、竹等を、設置する、溝を有した、潜水盤型浮魚礁。
【発明の詳細な説明】
【０００１】
本発明は、水面下から、海底まで、任意で設置出来る、潜水盤で、根付魚から、回遊魚までの産卵場、育成場とする、潜水盤型浮魚礁である。
【０００２】
従来は、筒状の、中層浮魚礁を設置していたが、高価である、潮流の抵抗が大きく、設置作業に、多大な費用が掛かる等の欠点があった。
【０００３】
図について、説明すれば、
一−三図は、竹等樹木を取付ける、Ｕ字状溝と、係留孔となる溝を有し、掌状に設けた盤を、二枚組み合せて、一体化する、潜水盤型魚礁で、組み合せ時に、両端が、ラッパ円筒状となる溝１を設け、盤首部２で結束強化、ブイ、アンカー付、係留ロープが、中を滑り易く、波浪時の衝撃を減じ、係留ロープ、係留孔の摩耗を減じる。掌を開いた形で、Ｕ字状溝３を設け、両端に、放射状に開く、壁板部４を設け、突起体５と受け孔６を設け、合体時の強化を図る。中央部溝をくの字状に曲げ、竹等樹木を設置時に、交差部を結束、強度を図る、溝先端狭部７、結束半円突出孔８で、結束固定。
溝間孔９、突出孔へ、ビニール擬似海藻１０付、ロープを取付れば、盤への潮流作用で、乱流が生じ、プランクトンが、増殖、斜め上下、左右後方、扇状に展開、突き出した形で、設置した、竹等樹木は、潮流の抵抗も少なく、竹等先端間隔が、上下、左右とも広くなり、魚類、イカ等の産卵場、遊泳空間が大きくなり、集魚効果が高まる。浮魚礁とする時は、竹等、先端部を交差、結束固定、横向きに連結すれば、耐波浪性が向上、潮流抵抗の少ないものとなる。
四−七図は、パラグライダー状単翼潜水盤に、係留突起体１１、係留孔１２を設け、開口板機能を持たせた物で、前面、翼面を半円状とし、潮流抵抗を減じ、樹木、竹等を設置する溝１３を、斜め上向き。挿入孔１４からは、斜め下向きに設置する溝１５を、設ける事により、樹木、竹等を、結束孔１６、結束突出孔１７で固定すれば、潮流で、潜水盤が、傾斜する力が働き、後部結束突起体の、係留ロープに力が掛かり、盤前面の角度が上がり、盤曲面への、潮流圧力が掛り、潜水盤間を広げる。突出孔１８に、擬似海藻付ロープを、取付れば、同じ効果を得られる。海面直下に、設置時は、係留孔で結束すれば、前上部曲面に水圧が掛かり、波浪時の、海面飛びだしを防ぎ、潜水盤の破損を防ぎ、複数の潜水盤の、盤連結孔１９を、ロープ等で連結すれば、三角、四角、六角径状と形状、大きさを変えられ、盤間のロープ等に、帯状シート等で、陰影を図れば、巨大な、円筒状魚礁となる。
八図は、掌状盤を合体した、潜水盤と、パラグライダー状単翼潜水盤を、ロープ等で連結したもので、潮流抵抗が少なく、擬似海藻等への産卵場となり、稚魚の隠れ場が増大、魚の遊泳水域が増え、擬似樹木、竹等との相乗効果で、魚礁効果が高まる。
【０００４】
以上の様に、潜水盤を、海底から、海面まで、任意の間隔で、設置すれば、カレイ、鯛等の底層魚、カンパチ、ブリ、アジ等の中層魚、マグロ、鰹等の表中層魚と、殆どの魚種に適する魚礁となり、鰹一本釣り等では、魚群探索の手間が省け、定置網への、誘導魚礁となり、釣り船等の、高深度の一本釣り漁場となり、プランクトンの発生、増殖等の、相乗効果で、イカ類、魚類の産卵場、増殖場となり、潜水盤型魚礁となる。
【図面の簡単な説明】
【図１】掌状潜水盤の、実施例を示す、平面図と一部断面図である。
【図２】掌状潜水盤を合体した、実施例を示す、斜視構成図である。
【図３】掌状潜水盤に、竹等樹木を取付、連結した、実施例を示す、斜視構成図である。
【図４】パラグライダー状単翼潜水盤の、実施例を示す、平面、裏面、側面構成図である。
【図５】パラグライダー状単翼潜水盤の、実施例を示す、断面構成図である。
【図６】パラグライダー状単翼潜水盤を、連結した、実施例を示す、斜視構成図である。
【図７】合体掌状潜水盤と、単翼潜水盤を連結した、実施例を示す、斜視図である。
【図１】
2004097184.tif 000003
【図２】
2004097184.tif 000004
【図３】
2004097184.tif 000005
【図４】
2004097184.tif 000006
【図５】
2004097184.tif 000007
【図６】
2004097184.tif 000008
【図７】
2004097184.tif 000009
(57)【要約】【課題】法面或いは急傾斜地などの斜面安定や、周囲の環境にマッチさせるための緑化工法において、客土に肥料や保水材などと種やコケやマンネングサなどの植物緑化材などを混入し緑化処理面に吹き付ける従来の方法における、種の場合発芽し繁殖する迄にかなりの日数を必要とする問題や、コケやマンネングサにあっては背丈のある緑化ができないなどの問題を解決すること。【解決手段】挿し木のできる植物の枝を切断して、この発芽、発根した移植可能な枝３を植生基材２に適宜の配合比率で混入し、緑化を必要とする処理面１に上記枝３の混入植生基材２を吹き付けたことにより、背丈のある緑化を極めて良好に、かつ容易に行なうことができる緑化工法。【選択図】　　図１
2004097165.tif 000002
【特許請求の範囲】
【請求項１】
挿し木のできる植物の枝を切断して、この発芽、発根した移植可能な枝を植生基材に適宜の配合比率で混入し、緑化を必要とする処理面に上記枝の混入植生基材を吹き付けたことを特徴とする緑化工法。
【発明の詳細な説明】
【０００１】
【発明の属する技術分野】
この発明は、オープンカット工法などにより構成した高速道路や各種施設などに面する法面或いは崩壊のおそれのある急傾斜地などの斜面安定や、周囲の環境にマッチさせるための緑化工法に関する。
【０００２】
【従来の技術及びその課題】
従来の緑化方法は、例えば客土に緑化促進のために必要とする肥料や保水材などと緑化のための種やコケやマンネングサなどの植物緑化材などを混入し、そして緑化処理面に吹き付けている。
【０００３】
上記のような緑化方法によると、種の場合発芽し、次いで繁殖する迄にかなりの日数を必要とする問題があった。
【０００４】
また、コケやマンネングサにあっては増殖しても施工面に這う程度の繁殖のみになって、背丈のある緑化ができないなどの問題があった。
【０００５】
そこで、この発明は、背丈のある緑化を極めて良好に、かつ容易に行なうことができる緑化工法を提供することにある。
【０００６】
【課題を解決するための手段】
上記の課題を解決するために、この発明は、挿し木のできる植物の枝を切断して、この発芽、発根した移植可能な枝を植生基材に適宜の配合比率で混入し、緑化を必要とする処理面に上記枝の混入植生基材を吹き付けて緑化する。
【０００７】
【発明の実施の形態】
この発明の実施形態を添付図面に基づいて説明する。
【０００８】
この発明の実施形態では、図１及び図２に示すように、高速道路やダムの湛水斜面その他各種施設などに面した法面或いは周囲の景観にマッチするように緑化を必要とする施行処理面１に吹き付ける植生基材２には、挿し木のできる所望植物の枝を切断して得た発芽、発根した移植可能な枝３が適当量混入してある。
【０００９】
上記の植生基材２としては、周知のように、例えば客土に通気性や保水性の向上のためのパーライトや、保水性、通気性及び保肥力向上のためのピートモス、初期肥効としての速攻性肥料や長期肥効としての緩効性肥料及び吸水、保水性にすぐれ、かつひび割れ防止のための繊維などを所望の配合比率によって混合すると共に、混練する。
【００１０】
上記の挿し木のできる植物の切断した枝３としては、例えば枝ざし方式のよく充実した枝の節２〜３節（３〜５ｃｍ）を刃物を用いて切断し、次いで水にひたしてよく水を吸わせる。
【００１１】
そして、例えば土床に穴をあけて、穴に枝を差し込んで、発根、発芽させたのち、引き抜いて回収する。
【００１２】
上記枝ざし以外に、既知の葉ざしや、管ざし或いは天ざしなど移根可能な状態に処理したものを使用する。
【００１３】
【発明の効果】
以上のように、この発明の緑化工法によれば、緑化を必要とする処理（施工）面に吹き付ける植生基材に挿し木できる植物の枝を切断して、発芽、発根した移植可能な枝の適当量混入してあるので、種やコケ或いはマンネングサのような施工面に這うような、しかも丈のない、かつ緑化に長期間必要とする各種問題を解決することができる。
【００１４】
また、丈のある緑化ができるので、周囲の景観にマッチする緑化が可能になる。
【図面の簡単な説明】
【図１】この発明の実施の形態を示す一部切欠平面図
【図２】同上の縦断側面図
【符号の説明】
１　　　処理面
２　　　植生基材
３　　　枝
【図１】
2004097165.tif 000003
【図２】
2004097165.tif 000004
(57)【要約】【構成】鉄化合物を主成分とする海苔養殖用の品質向上剤。【効果】鉄化合物を含有する処理液にて、海苔を浸漬又は散布することにより、海苔の成長を促進でき、かつ海苔の味・色艶を予くっっっすることができる。【選択図】　　　なし【特許請求の範囲】
【請求項１】
鉄化合物を主成分とする海苔養殖用の品質向上剤。
【請求項２】
鉄化合物が硫酸第一鉄・硫酸第二鉄・乳酸鉄・クエン酸鉄・クエン酸鉄アンモニウム・グルコン酸鉄・鉄クロロフィリンナトリウム・乳酸鉄・ピロリン酸第一鉄・ピロリン酸第二鉄・フェロシアン化ナトリウム・塩化第一鉄・塩化第二鉄・クエン酸第一鉄ナトリウム・フマル酸第一鉄・リン酸第二鉄の中の１種以上であることを特徴とする海苔養殖用の品質向上剤。
【請求項３】
請求項１〜２に記載の処理剤に海苔を浸漬するか、または海苔処理剤を海苔に散布することを特徴とする海苔の処理方法。
【発明の詳細な説明】
【０００１】
【産業上の利用分野】
本発明は、海苔の成長促進・色艶の向上させる品質向上剤に関する。
【０００２】
【従来の技術】
海苔が利用する海水中の栄養塩類（窒素・リン等）は、河川や干潟から供給されてくる。最近では、河川水の減少、干潟の減少により、海水中の栄養塩類が減少してきている。従って、海苔の味や色艶・伸びが以前より悪くなってきている。
又、海苔の生産が１０月から翌年の３月までの約６ヶ月間であったのが、現在では１月位に栄養塩が低下し海苔養殖が終漁するようになり海苔の生産量も減少してきている。
そのため、海苔の黒みが増し、成長促進効果のある品質向上剤の開発が切望されている。
又、海苔の品質向上に関する鉄の効果を記載した先行技術文献は無い。
【０００３】
【特許文献１】
特開平１０−１３８４号公報（２頁〜３頁）
【０００４】
【本発明が解決しようとする課題】
本発明の目的は、海苔の成長を促進するとともに、海苔の色艶を良くする品質向上剤に関する。
【０００５】
【課題を解決するための手段】
前記の課題を解決するために鋭意検討した結果、鉄化合物を主成分とする処理液中に海苔を浸漬、又は散布することにより、海苔の品質を向上させることができることを見出した。
即ち、本発明は次の通りである。
（１）鉄化合物を主成分とする海苔養殖用の品質向上剤。
（２）鉄化合物が硫酸第一鉄・硫酸第二鉄・乳酸鉄・クエン酸鉄・クエン酸鉄アンモニウム・グルコン酸鉄・鉄クロロフィリンナトリウム・乳酸鉄・ピロリン酸第一鉄・ピロリン酸第二鉄・フェロシアン化ナトリウム・塩化第一鉄・塩化第二鉄・クエン酸第一鉄ナトリウム・フマル酸第一鉄・リン酸第二鉄の中の１種以上であることを特徴とする海苔養殖用の品質向上剤。
（３）（１）〜（２）に記載の処理剤に海苔を浸漬するか、または海苔処理剤を海苔に散布することを特徴とする海苔の処理方法。
【０００６】
試験例からわかるように、鉄化合物を含有する処理液で、海苔を処理することにより、海苔の成長を促進し、海苔の黒みを増し、海苔の旨み成分が増大することがわかる。鉄濃度１〜５０００ｐｐｍの範囲での処理を行うと、特に顕著な効果が認められる。
【０００７】
本発明の品質向上剤は、鉄化合物を主成分とする海苔養殖用の品質向上剤である。本発明の製剤は、固形状でも液状でも良いが、液状の方が海水にすぐに溶解し使いやすいので好ましい。海苔が付着した海苔網を処理する時は、鉄化合物を溶解もしくは希釈して使用する。
【０００８】
本発明で使用する鉄化合物は、特に限定されるものではないが、硫酸第一鉄・乳酸鉄・クエン酸鉄・クエン酸鉄アンモニウム・グルコン酸鉄・鉄クロロフィリンナトリウム・乳酸鉄・ピロリン酸第一鉄・ピロリン酸第二鉄・フェロシアン化ナトリウム・塩化第二鉄・クエン酸第一鉄ナトリウムは食品添加物として認められているので、これらの中の１種以上を用いる方が安全・環境面で好ましいと考えられる
【０００９】
海苔を処理する時の鉄化合物の濃度は、鉄として１〜５０００ｐｐｍであることが好ましい。何故なら、０．１ｐｐｍ以下もしくは１００００ｐｐｍ以上であると、海苔の成長促進効果が小さくなるからである。
処理時間は、特に限定されないが、作業性を考慮すると、１０秒から２０分の処理が好ましい。海苔養殖中には、酸処理を行い、病害・雑珪藻を駆除する作業が行われているため、その酸処理剤と併用処理しても良い。
【００１０】
肥料成分として、アミノ酸・塩化アンモニウム・硝酸ナトリウム・硝酸ソーダ・硝酸カリウム・リン酸ナトリウム・リン酸アンモニウム・リン酸カリウム・硝酸アンモニウム・糖類を添加することもできる。
【００１１】
（試験１）
冷凍網を出庫した３日後に１回目の処理を行い、１回摘採毎に処理を行い３回摘採海苔について、乾海苔の収量及び海苔の品質（黒さ・旨み）について調査した。処理条件は、表１に記載。処理時間は、１分である。
黒さはクロロフィルａ量に比例するので乾海苔中のクロロフィル量で評価し、旨みは乾海苔中の遊離アミノ酸量を分析し旨みの評価とした。結果は表１に示す。
【００１２】
【表１】
2004097167.tif 000002
【００１３】
（試験２）
表２に示す鉄化合物をそれぞれ鉄として２００ｐｐｍとなるように溶解して、試験１と同様にして試験を行った。結果を表２に示す。
【００１４】
【表２】
2004097167.tif 000003
【００１５】
【発明の効果】
鉄化合物を含有する処理液にて、海苔を浸漬又は散布することにより、海苔の品質を向上できることを見出した。
(57)【要約】【課題】従来の鱈の有効利用は、肉身や鱈子にほとんど限定され、鱈の内臓や皮はほとんどが廃棄物として処理されていた。【解決手段】本発明は、従来廃棄処理されていた鱈の胃や皮を一旦塩漬け処理して塩辛とし、熱郛乾燥や真空乾燥等の乾燥処理を行った後に他の調味料や香辛料を添加し、得られた素材を通常の顆粒装置で顆粒譲渡し、野菜や朝鮮漬け等のふりかけ材や旨味成分に富む加工食品食品とするものである。【選択図】図１
2004097120.tif 000002
【特許請求の範囲】
【請求項１】
鱈の肉身、または鱈の頭、胃及び皮からなる廃棄物を塩辛とした素材に、香辛料、調味料等の少なくとも１種以上を添加した原料を顆粒状にしたことを特徴とする鱈を原料とする顆粒状加工食品。
【請求項２】
鱈の肉身、または鱈の頭、胃及び皮からなる廃棄物を所定の大きさにそろえて塩漬け処理する第１工程と、得られた塩漬け原料を熱風乾燥あるいは真空乾燥処理する第２工程と、さらに第２工程で得られた乾燥物に香辛料、調味料等の少なくとも１種以上を添加した原料を顆粒装置において顆粒物となす第４工程と、得られた顆粒物を詰め処理することを特徴とする鱈を原料とする顆粒状加工食品の製造方法。
【発明の詳細な説明】
【０００１】
【発明の属する技術分野】
本発明は鱈の有効利用に関し、更に詳しくは、従来、廃棄物処理されていた鱈の胃や皮、あるいは鱈の肉身を原料として塩漬け処理して塩辛（チャンジャ）とするとその旨味成分が引き立ち、更に他の香辛料、調味料等を混合して顆粒状にすると鱈特有の旨味成分に富む顆粒食品となることを見いだし、本発明を提供することができた。
【０００２】
【従来技術】
従来、鱈はその肉身が白身で特有のうまさがあることから鍋料理や焼魚料理に利用されており、さらに卵である鱈子は珍味として高級品として販売されている。
【０００３】
一方、他の部署である胃、あるいは皮等はほとんど利用されることがなく、上記肉身や鱈子が分離されると、操業中に海へ廃棄したり、あるいは加工工場で廃棄物として処理されていた。
【０００４】
鱈のフレークの風味を生かした加工食品としては、特開平１−９５７４９号「加工食品の製造法」に、鮭、鱈または鯛のもどしフレークとチーズ粉末とを混合したものとチーズ顆粒をＤ−ソルビットの濃厚水溶液で湿潤したものを、チーズの粒末と顆粒の合計ともどしフレークの割合を前者１０〜３０重量部対後者９０〜７０重量部で混合し、加熱滅菌することを特徴とする加工食品の製造法が開示されている。
【０００５】
また鱈等の内臓を利用した塩辛としては、特開昭６０−６１５７号「塩から」に、肝臓を少量だけ残置するか、又は全く除去した魚の内臓に、いかの内臓を混和させた塩辛が開示されている。
【０００６】
さらに鱈の皮やヒレを有効利用するものに、特開昭５７−１６３４７０号「煮疑り食品及びその製造法」には、たらの干物作る際に廃棄物として処理される鱈の皮及びヒレを煮込んで、その煮汁を固形物と共に固化したことを特徴とする煮疑り食品が開示されている。
【０００７】
野菜の中に魚介類を挟み込んだ後に乾燥処理して珍味類を製造するものとしては、特開平３−２３６７３９号「珍味類の製造法」に、塩漬けした白菜の葉の間に、魚介類、調味材料を挟み込んで漬け込み、白菜の酸味がでる前に、前記魚介類を取り出し乾燥することを特徴とした珍味類の製造法が開示されている。
【０００８】
【発明が解決しようとする課題】
上記廃棄物処理されている量としては、時に鱈１匹中あたり約１／４相当量になり、廃棄物処理するにも漁民の負担になり高コスト要因となり、一方で、この廃棄物と捨てられる鱈の胃や皮の部分にも旨味成分が十分含まれており、その有効利用が求められていた。
【０００９】
【課題を解決するための手段】
本発明者は係る課題を解決するために鋭意研究したところ、上記鱈の頭、胃や皮、あるいは鱈の肉身を一旦塩漬けにして塩辛としたものを乾燥処理させ、得られた乾燥物に調味料や香辛料を混合して顆粒化処理すると旨味成分に富む加工食品となることを見いだした。
【００１０】
すなわち本発明の第一は、鱈の肉身、または鱈の頭、胃及び皮からなる廃棄物を塩辛とした素材に、香辛料、調味料等の少なくとも１種以上を添加した原料を顆粒状にしたことを特徴とする鱈を原料とする顆粒状加工食品である。
【００１１】
本発明の第二は、鱈の肉身、または鱈の頭、胃及び皮からなる廃棄物を所定の大きさにそろえて塩漬け処理する第１工程と、得られた塩漬け原料を熱風乾燥あるいは真空乾燥処理する第２工程と、さらに第２工程で得られた乾燥物に香辛料、調味料等の少なくとも１種以上を添加した原料を顆粒装置において顆粒物となす第４工程と、得られた顆粒物を詰め処理することを特徴とする鱈を原料とする顆粒状加工食品の製造方法である。
【００１２】
【発明の実施の態様】
本発明の製造手段は、図１に示すフロー図に従って処理した。すなわち、先ず鱈の肉身、または鱈の頭、胃及び皮からなる廃棄物を所定の大きさ、概略５〜１０ｃｍ位の大きさに揃えて塩漬け処理した（第１工程）。
【００１３】
この場合、塩漬け処理は樽や大きなバケツに入れて１０日〜２ヶ月位塩漬けして鱈の旨味成分が塩の作用で引き立つようにした。
【００１４】
次いで、得られた塩漬け原料である塩辛の付着塩を除去した後に、熱風乾燥あるいは真空乾燥処理する（第２工程）が、内部の水分がとれる迄十二分に乾燥処理する必要がある。
【００１５】
さらに第２工程で得られた乾燥物に香辛料、調味料等の少なくとも１種以上を添加した原料を顆粒装置において顆粒物となす（第４工程）が、用いる調味料としては味の素やダシの素等、また香辛料としてはニンニク、唐辛子、生姜、胡麻、ミリン、薬味等を１種以上好みに合わせて混合処理し、通常の造粒機にこれらの乾燥原料を通して１ｍｍ以下の顆粒状食品とした。
【００１６】
次いで、得られた顆粒物を瓶、缶詰あるいは袋詰処理する（第５工程）ことによって市販食品とした。
【００１７】
【発明の効果】
本発明の製造方法によって、鱈の肉身の他、従来は廃棄物処理されていた鱈の胃や皮部分の有効利用が可能となったばかりか、鱈特有の旨味成分を利用した新規な加工食品として顆粒食品を市場化できた。
【００１８】
特に朝鮮漬けや沢庵漬け等の野菜のふりかけとして風味が合い、それらの素材に適したふりかけ材として有効である。
【図面の簡単な説明】
【図１】本発明の製造方法に関するフローシートである。
【図１】
2004097120.tif 000003
(57)【要約】【課題】魚を飼う水槽の中の汚れた水を、水槽を移動せず、簡単に交換出来ることを課題提供することにある。【解決手段】魚を飼う水槽の下部にバルブを取付けた構成で、解決提供することにある。【選択図】図１
2004097192.tif 000002
【特許請求の範囲】
【請求項１】
魚を飼う水槽の下部にバルブを設けたことを特徴とするバルブ付き水槽。
【発明の詳細な説明】
【０００１】
【発明の属する技術分野】
本発明は魚を飼う水槽に関する。
【０００２】
【従来の技術】
従来の魚を飼う水槽は、水槽中の水を交換時、大変な仕事であるため不便と不満の点が多い。
【０００３】
【発明が解決しようとする課題】
水槽の中の汚れた水を手間をかけずに、早く排水出来ることを課題とした。
【０００４】
【課題を解決するための手段】
水槽の下部にバルブを設ける構成で、解決手段として提供することにある。
【０００５】
【実施例】
本発明は魚を飼う水槽の下部にバルブを設けて、ホースで連結し、汚れた水をその場から水槽を移動せず、排水出来る。
【０００６】
【発明の効果】
本発明は以上説明したように構成されるので、以下に記載されるように効果奏できる。
（イ）水槽を移動せず、汚れた水の交換が楽に、簡単に出来て、魚にも負担がかからず、作業の時間にも知如出来る。
【図面の簡単な説明】
【図１】本発明に係る水槽にバルブを取付けた工程図である。
【符号の説明】
１　　　　魚を飼う水槽
２　　　　バルブ、コック、蛇口
【図１】
2004097192.tif 000003
(57)【要約】【課題】草刈機で刈り取った草を刈り取るだけでなく、一定の所に飛ばし、整理、整頓を楽にすることを提供することにある。【解決手段】草刈機基体、中空管連結、回転刈刃の上部に整頓板を基体中空管に取付けて、調整も出来、整頓板（カバー）で刈草を一定の所に飛ばし集めることで解決手段とした。【選択図】図１
2004097195.tif 000002
【特許請求の範囲】
【請求項１】
草刈機基体、中空管連結の回転刈刃の上部に、整頓板を基体中空管に設けたことを特徴とする草刈機に設ける刈草整頓板。
【発明の詳細な説明】
【０００１】
【発明の属する技術分野】
本発明は草刈機に関する。
【０００２】
【従来の技術】
従来の草刈、刈払機の回転刈刃部に安全カバーは設けられているが、刈草を一定の所に整頓の出来る板は知られていないので、不便と不満がある。
【０００３】
【発明が解決しようとする課題】
草刈機で刈り取った刈草を飛ばすだけではなく、一定の所に飛ばして、整理、整頓を楽にして、仕事を短時間で出来ることを解決手段とした。
【０００４】
【課題を解決するための手段】
本発明は草刈機基体、中空管連結、回転刈刃の上部に整頓板を基体中空管に設けて、調整も出来る構造により解決手段とした。
【０００５】
【実施例】
本発明は草刈機の回転刈刃の上部に整頓板を設ける。整頓板は一定の角度を設けて取付けられることで、飛ばす距離も一定となることと、刈草が一定の所に飛び集められる。
【０００６】
【発明の効果】
本発明は以上説明したように構成されるので、以下に記載されるように効果奏できる。
（イ）刈り取った草を一定の所に飛ばして、整理、整頓の時間を短縮し、仕事を楽に出来る。
【０００７】
【図面の簡単な説明】
【図１】草刈機の回転刈刃部に整頓板（カバー）取付け工程図である。
【符号の説明】
１　　　　草刈機基体、中空管
２　　　　刈刃
３　　　　整頓板（カバー）
４　　　　整頓板止め具
５　　　　ボルト
【図１】
2004097195.tif 000003
(57)【要約】【課題】ゴキブリを殺さずに、且つ直接手を触れずに捕獲することが可能で、安価な費用で半永久的に使用することができるゴキブリ捕獲器を提供する。【解決手段】下面が開放された捕捉容器部１１とパイプ状の持ち手部１２とを備え、且つ内部を中空状に形成した捕獲器本体１に、使い捨ての捕獲袋２を着脱自在に取付けるようにするとともに、その捕獲器本体１を、透明または半透明な素材を用いて、ゴキブリの動きを視認可能に形成する。【選択図】　　図１
2004097198.tif 000002
【特許請求の範囲】
【請求項１】
ゴキブリを手に触れずかぶせて捕獲すべく、大略ひしゃく状に形成された捕獲器本体に、使い捨ての捕獲袋を着脱自在に取付けるようにした捕獲器であって、前記捕獲器本体を、下面が開放された捕捉容器部とパイプ状の持ち手部とにより中空状に形成するととともに、透明または半透明な素材を用いて、ゴキブリの動きを視認可能に形成したことを特徴とするゴキブリ捕獲器。
【発明の詳細な説明】
【０００１】
【発明の属する技術分野】
本発明は、ゴキブリの習性を利用して簡単容易に捕獲するようにしたゴキブリ捕獲器に関するものである。
【０００２】
【従来の技術】
従来のゴキブリ捕獲手段としては、ゴキブリに薬剤を吹きかけたり、叩いて潰すなどの方法が採用されており、また実開平１−９８５７５号公報や実用新案登録第３０１５９５２号で開示されているような、接着剤や粘着剤を添付したゴキブリ捕獲器が多数提案されている。
【０００３】
【発明が解決しようとする課題】
上記した薬剤を吹きかける方法や叩き潰す方法は、吹きかけた薬剤や潰れたゴキブリで壁や床が汚れる等の不都合が多々あり、効果的ではなかった。また実開平１−９８５７５号等のゴキブリ捕獲器は、両面接着剤を添付した平面体や粘着シート付きの四角錐を使い捨てるように構成されているので、それらの消費材の購入費用が高額となって、非常に不経済であるという重大な問題があった。
【０００４】
そこで本発明は、ゴキブリを殺さずに、且つ直接手を触れずに捕獲することが可能で、また安価な費用で半永久的に使用することができるゴキブリ捕獲器を提供しようとするものである。
【０００５】
【課題を解決するための手段】
本発明は、ゴキブリを手に触れずかぶせて捕獲すべく、大略ひしゃく状に形成された捕獲器本体１に、使い捨ての捕獲袋２を着脱自在に取付けるようにした捕獲器であって、前記捕獲器本体１を、下面が開放された捕捉容器部１１とパイプ状の持ち手部１２とにより中空状に形成するととともに、透明または半透明な素材を用いて、ゴキブリの動きを視認可能に形成したゴキブリ捕獲器である。
【０００６】
【発明の実施の形態】
本発明のゴキブリ捕獲器は、捕捉容器部１１と持ち手部１２とにより内部が中空のひしゃく状に形成されており、また持ち手部１２の排出口１６に、ビニール袋などから成る捕獲袋２を取付けるようになっている。したがって捕捉容器部１１内のゴキブリＧは、ゴキブリが本来保有する習性から、持ち手部１２の隙間１７に確実に逃げ込むので、その逃げ込んだタイミングを見計らって捕獲器本体１を垂直状に持ち直せば、ゴキブリＧを容易に捕獲袋２に落し込むことができるのである。
【０００７】
【実施例】
以下に、本発明の一実施例を図面に基づいて説明する。図中１は、捕捉容器部１１と持ち手部１２を大略ひしゃく状に連結した形状の捕獲器本体である。この捕獲器本体１は、捕獲したゴキブリの動きを外部から視認することができるように、その全体を透明または半透明な合成樹脂で形成されるものとする。
【０００８】
また下面が開放された半球形状の捕捉容器部１１は、その開口部１４を床や壁に密着することができるように、開口部１４の外側に鍔部１３を周設するとともに、後述する持ち手部１２に連通するための連通孔１５を設けた構造となっている。なお前記鍔部１３は必ずしも設ける必要はなく、また捕捉容器部１１の形状も半球形状に限定するものではないので、角柱形状や楕円形状等の他の形状に形成しても差し支えない。なおまたこの捕捉容器部１１の内側面全体に、粘着シートを貼着することも可能である。
【０００９】
さらにパイプ状の合成樹脂によって形成された持ち手部１２は、捕捉容器部１１内のゴキブリＧを捕獲袋２へ導くために、その内部に細長い隙間１７が形成されているもので、その前端部を、適度な角度を有して連結孔１５に連結するとともに、その後端部が、ゴキブリの排出口１６となるものである。なおこの持ち手部１２と捕捉容器部１１との連結は、両者を固定した状態で連結するようにしてもよいが、角度変更自在に連結するようにしてもよい。
【００１０】
捕獲されたゴキブリＧを処分するための捕獲袋２は、ビニール袋や紙袋、ティッシュペーパーなどのような廉価な消耗品を、輪ゴムなどの適宜な取付部材を介して、持ち手部１２の排出口１６に着脱自在に取付けられるものである。なおこのような捕獲袋２としては、ゴム紐付きビニール袋を専用付属品として提供するようにしてもよいが、使用の度毎に、日用品の中から適宜に調達するようにしても差し支えない。
【００１１】
以上のように構成された本発明のゴキブリ捕獲器を使用する場合は、まず「はえたたき」を使用するような要領でゴキブリＧに捕捉容器部１１をかぶせ、その捕捉容器部１１にゴキブリを取り込むようにする。またこのような場合のゴキブリには、隙間や溝孔に隠れる習性があるので、捕捉容器部１１の内部を駆け巡っているうちに連通孔１５を見つけ、その連通孔１５から持ち手部１２の細長い隙間１７へ逃げ込むようになっているのである。このようにしてゴキブリＧが隙間１７へ逃げ込んだ後、タイミングを見計らって捕獲器本体１を垂直状に立てるようにすれば、ゴキブリＧは瞬時に捕獲袋２に落下するので、ゴキブリを殺さずに、また直接手を触れることなく捕獲することができるのである。
【００１２】
【発明の効果】
本発明のゴキブリ捕獲器は、ゴキブリを殺さずに、また直接手に触れることなく捕獲することができるので、捕獲時に床や壁を汚すことがないという効果があるばかりでなく、ゴキブリを効率的に捕獲することができるという効果もある。また本発明に成る捕獲器本体は、安価な合成樹脂等を用いて廉価に製造することが可能であり、且つ半永久的に使用することができるとともに、捕獲袋として廉価な消耗品を利用することができるので、非常に経済的であるという大きな特長を有している。なおまた本発明においては、常にゴキブリを視認しながら簡単容易に使用することができるので、極めて操作性に優れているという利点がある。
【図面の簡単な説明】
【図１】本発明のゴキブリ捕獲器の一部切欠斜視図である。
【図２】本発明のゴキブリ捕獲器の使用状態を示す断面図である。
【符号の説明】
１・・・捕獲器本体　　　　　　　２・・・捕獲袋
１１・・・捕捉容器部　　　　　　１２・・・持ち手部
１３・・・鍔部　　　　　　　　　１４・・・開口部
１５・・・連通孔　　　　　　　　１６・・・排出口
１７・・・隙間　　　　　　　　　　Ｇ・・・ゴキブリ
【図１】
2004097198.tif 000003
【図２】
2004097198.tif 000004
(57)【要約】［課題］年よりでも食べられる柔らかい漬物がほしい。［解決手段］塩漬けの大根や漬け菜などの漬物を調味料を添えて煮て、袋や容器に詰めた、煮頃漬物と名付けることにする、漬物の煮物。【選択図】なし。【特許請求の範囲】
【請求項１】
塩漬けの大根や漬け菜などの漬物を調味料を添えて煮て、袋や容器に詰めた、煮頃漬物と名付けることにする、漬物の煮物。
【発明の詳細な説明】
［発明の属する技術分野］
柔らかい漬物が欲しい。これに応えた出来合いのものを売り出したい。
［従来の技術］
野菜の惣菜の中では漬物は大変おいしいものであり、ご飯によく合う。しかし白菜漬けでもたくあんでも若い人の歯には快いものであるが、年を取って歯が弱り、特に入歯になると、硬くてなかなか噛めない。
［発明が解決しようとする課題］
これを入歯の人でもおいしく食べられるようにしたい。
［課題を解決するための手段］
それには煮るのが一番である。適当に調味料を添えて煮ると、柔らかくなっておいしい。
［発明の実施の形態］
それを適当な袋や容器に詰めて販売したい。本発明の形態は「特許請求の範囲」に簡単に述記してある。
［発明の効果］
私の若い頃は東京でも道端で漬物市が開かれる程、漬物は多彩に市民の大好物であった。ところがどうしたことか最近ではスーパーでも余り売れていない。家庭で朝食や晩食に御飯をちゃんと摂ることが少なくなったからではないかと思われる。
しかし年を取った人は若い人と違って外食よりは家庭で食事を摂ることが多かろう。洋食的なものより和食的なものが好まれるのではないかと思われる。しかし年を取るに従って歯が悪くなり、肉や生の野菜や硬い野菜を煮たものは食べられなくなる。若い頃おいしかった漬物も殆ど食べられない。
しかし野菜を摂らないと、腹の調子が悪くなる。私はアスパラや椎茸や南瓜や里芋やほうれん草などを主に摂っているが、一日一食くらいは漬物も食べたい。白菜や大根などの漬物を煮て食べると柔らかくておいしいことを知っている。しかし私は漬物を家庭で漬けることが出来ない。殆どの年寄りがそうであろう。そこで柔らかく調味料で煮た漬物を適当な袋や容器に入れて売り出したい。電子レンジで適当に温めて食べてもらえるようにしたい。
一般に漬物の袋詰というと水気がたぶたぶで、絞らないと食べられない。本発明では水気がだぶつかないように、煮汁の殆ど目立たないものにしたいと思っている。
昔野菜を摂ると言えば、その多くを漬物で摂っていた。そう言った食習慣をもう一度取り返したい。
今日和食はどんどん廃り、華食や洋食に内食も外食も代わっている。和食は一般に醤油の塩味を中心に炒り子や鰹で味を付ける。華食や洋食のように複雑に味の要素を組み合せたり、香辛料を使ったりしない。従って和食で塩気を今日のように控えては旨味は出ない。
「現代新百科事典（学研・１９６６年）」によると、人体の血液・胃液・細胞内には約０．７％の食塩がふくまれ、組織内の浸透圧を調節しているが、この濃度変化には水分の変化をともない、常に一定濃度が保持される。体内では食塩濃度が低下すると水分を放出し、逆の場合は水分を吸収する。ナトリウムは神経の興奮伝達に必要とされ、塩素は胃液中の塩酸の原料となる。成人が一日に必要な摂取量は１０〜２０グラム、夏期は２０〜３０グラム程度で、ふつう腎臓から尿中に排出されるが、発汗量が多いときは、皮膚からも大量に失われる。一時に多量摂取すると、消化管を刺激し、循環系を阻害する。長期に渡って欠乏すると、消化液の分泌減退、食欲の減退、疲労などを起こし、過度の場合は痙攣や筋肉の興奮にともなう嘔吐などを起こす、とある。
また「万有百科大事典化学（小学館・１９７４年）」によると、食塩は水溶液ではナトリウムイオンと塩素イオンに解離しており、ナトリウムイオンは体内で炭酸と結合して重炭酸塩を形成し、血液などの体液のアルカリ性を保持するとともに、一部はリン酸と結合して緩衝物質となり、体液の酸−アルカリ平衡の大幅な変動を阻止する作用をする。またナトリウムイオンは胆汁、膵液、腸液などアルカリ性の消化液の重要な成分である、とある。
これらの記事から解かるように、塩は人間などの動物にとっては必須なもので、必要にして十分食事の度に補われていく必要がある。又少々多く摂ってもその分水分を補えば何ら問題のないことも判る。従って料理の塩味を味を壊してまで控える必要は全くない。十分においしさを出すべきである。
本発明においても必要以上に塩分を控えることはせず、おいしさを売りたいと思っている。
(57)【要約】【目　的】この発明は穀類の粉末に、攪拌処理した野菜類のニガウリまたはニガウリの粉末を混入し、ビタミン類を含む素材の食品に関するものである。【構　成】（イ）　穀類の粉末に、攪拌処理した野菜類のニガウリを設けたニガウリ混入の食品。（ロ）　穀類の粉末に、ニガウリの粉末を設けたニガウリ混入の食品。【効　果】野菜類のニガウリを設けることにより、穀類の粉末に少ないビタミンＣおよびビタミンＡ（カロテン・レチノール当量）を含む食品成分の素材となり、健康に効果があるニガウリ混入の食品である。【特許請求の範囲】
【請求項１】
穀類の粉末に、攪拌処理した野菜類のニガウリを設けたことを特徴としたニガウリ混入の食品。
【請求項２】
ニガウリの粉末を設けた請求項１に記載のニガウリ混入の食品。
【発明の詳細な説明】
【０００１】
【産業上の利用分野】
この発明は穀類の粉末に、攪拌処理した野菜類のニガウリまたは粉末を混入し、ビタミン類を含む素材の食品に関するものである。
【０００２】
【従来の技術】
穀類の粉末を設けた食品には、小麦粉に甘洒またはふくらし粉などを加えてこね、中に餡（あん）を包んで蒸して作る饅頭（まんじゅう）等の菓子があり、小麦粉に少量の塩を加えて水でこねて薄くのばし、細く切った饂飩（うどん）または、そば粉に小麦粉，ヤマイモ，卵白などを入れてこねて細く線状に切ったそば切り等の麺類があるる。（広辞苑／まんじゅう・うどん・そば・一部引用）
穀類の粉末を用いた食べ物には数多くの食品がある。
また、コムギ粉にはビタミン類が少ないので、とくにパン用粉の場合ビタミンを添加して栄養強化を行うことが多い。日本でも学校給食用コムギ粉には、ビタミンＡ，Ｂ１，Ｂ２の添加が規定されている。（世界大百科事典／こむぎこ　小麦粉・一部引用）
【０００３】
【発明が解決しようとする課題点】
ビタミン類が少ない穀類の粉末に、攪拌処理した野菜類のニガウリまたは粉末を混入し、ビタミン類を含む素材を作ろうとするものである。
【０００４】
【課題を解決するための手段】
（イ）　穀類の粉末に、攪拌処理した野菜類のニガウリを設ける。
（ロ）　穀類の粉末に、ニガウリの粉末を設ける。
【０００５】
【作用】
穀類の粉末に少ないビタミン類を、野菜類のニガウリを設けてビタミン類を補うのである。
ビタミンＣおよびビタミンＡ（カロテン・レチノール当量）を含む野菜類のニガウリを攪拌処理または粉末を穀類の粉末に混入し、ビタミン類を含む成分および栄養強化の素材であり、ニガウリ混入の食品である。
参考資料−五訂日本食品成分表（穀類および野菜類）。
〃　　世界大百科事典（こむぎこ　小麦粉）。
【０００６】
【実施例１】
請求項１の実施例について説明する。
穀類の粉末に、攪拌処理した野菜類のニガウリを設ける。
種子およびわたを取り除いたニガウリをミキサー等で攪拌し、穀類の粉末に適量混入した素材である。
ニガウリの攪拌処理は、穀類の粉末に水等を用いた調理の場合には、ニガウリの攪拌に最少量の水等を用いるのであり、牛乳等を用いた調理の場合には最少量の牛乳等を用いて攪拌し、穀類の粉末に適量の攪拌処理した野菜類のニガウリを混入するのである。
電子レンジ等を設けた加熱処理には、食品包装用ラップフィルム等を設けて処理するのであり、加熱処理した野菜類のニガウリは冷水等で数分冷し、ミキサー等で攪拌するのである。
非加熱処理または加熱処理したニガウリの攪拌は、上記述のニガウリの攪拌処理と同様であり、攪拌処理したニガウリを適量、穀類の粉末に混入し、ニガウリ混入の食品を作るのである。
したがって、ビタミン類が少ない穀類の粉末に、攪拌処理した野菜類のニガウリを混入することにより、ビタミン類を含む素材となり、ニガウリ混入の食品を作るのである。
【０００７】
【実施例２】
請求項２の実施例について説明する。
穀類の粉末に、ニガウリの粉末を設ける。
ビタミン類を含むニガウリの粉末を適量、穀類の粉末に混入し、ビタミン類を含む粉末素材を作るのである。
野菜類のニガウリを粉末に設けることにより、穀類の粉末に容易に混入することができるのであり、ビタミン類を含む粉末素材および食品を作るのである。また、ニガウリの粉末は保存も容易である。
したがって、ビタミン類の少ない穀類の粉末に、野菜類のニガウリの粉末を混入することにより、ビタミン類を含む粉末素材であり、ニガウリ混入の食品を作るのである。
【０００８】
【実施例３】
野菜類のニガウリを粉末に設けることにより、製粉工場または加工場等で穀類の粉末に混入加工し、ビタミン混入の粉製品を作ることができるのである。
冷凍食品の場合も実施例１および実施例２の記述と同様の方法で作るのである。
【０００９】
本出願に関係する工業所有権の出願。
特許出願（申請）番号　特願２０００−３１１２６３号　　ニガウリの冷菓。
【００１０】
参考資料
広辞苑　　新村出編　（まんじゅう・うどん・そば）　　岩波書店。
世界大百科事典　　（こむぎこ　小麦粉）　　平凡社。
五訂日本食品成分表　　食品成分研究調査会／編　科学技術庁資源調査会編
（穀類・野菜類）　　医歯藥出版株式会社。
【００１１】
【発明の効果】
ビタミンＣおよびビタミンＡ（カロテン・レチノール当量）を含む野菜類のニガウリ成分の混入により、穀類の粉末に少ないビタミン類を補うのであり、自然栄養成分を含む素材となり、健康等に効果があるニガウリ混入の食品である。